(57)【特許請求の範囲】
【請求項１】
つぎの事項（11）〜（17）により特定される方法。
（11）広告管理サーバーと広告主サーバーとにより実施される分散コンピューティングの方法であること
（12）会員制ＥＣサイトの運営者が広告主であるキャンペーン広告がインターネット上のある広告媒体サイトに掲載され、この広告媒体サイトを閲覧している利用者端末Ａにおいて前記キャンペーン広告がクリックされると、当該利用者端末Ａが、当該キャンペーン広告にリンクする広告管理サーバーを介して前記広告主サーバーにリダイレクトされ、前記キャンペーンの詳細情報を伝えるキャンペーンページが利用者端末Ａに表示される、広告誘導プロセスが実行されること
（13）前記広告管理サーバーは、前記広告誘導プロセスにおいて、前記広告媒体サイトを特定可能な情報（広告媒体ＩＤとする）と、前記キャンペーン広告を特定可能な情報（広告ＩＤとする）と、広告誘導事象を特定するためのユニーク番号（トラッキングキーＢとする）とを少なくとも含んだ広告誘導記録を作成して保存するとともに、前記トラッキングキーＢを付加したＵＲＬにより前記利用者端末Ａを前記広告主サーバーにリダイレクトすること
（14）前記広告主サーバーは、前記広告誘導プロセスにおいて、前記利用者端末Ａが前記トラッキングキーＢを付加した前記ＵＲＬによりリダイレクトされてアクセスしてくると、当該トラッキングキーＢと当該利用者端末Ａを特定可能な端末識別子Ｃとを取得し、前記会員制ＥＣサイトの会員データベースに当該端末識別子Ｃと会員ＩＤとの対応関係が記録されているか否かを調べ、記録されていない場合、前記トラッキングキーＢと前記端末識別子Ｃとを対応づけした端末閲覧記録ａを作成して記録すること
（15）前記広告主サーバーは、前記端末閲覧記録ａを作成して記録した後、前記利用者端末Ａが前記広告主サーバーの前記会員制ＥＣサイトにログインした際、当該利用者端末Ａの前記端末識別子Ｃおよび会員ＩＤ（Ｄ）を取得するとともに、当該端末識別子Ｃと対応づけされている前記トラッキングキーＢに当該会員ＩＤ（Ｄ）を対応づけした会員閲覧記録ｂを作成して記録すること
（16）前記広告主サーバーは、前記会員閲覧記録ｂを作成して記録した後、前記会員ＩＤ（Ｄ）の利用者が適宜な情報端末を用いて前記広告主サーバーの前記会員制ＥＣサイトにログインし、前記キャンペーン広告に関連した所定の行動をとった際、当該会員ＩＤ（Ｄ）に対応づけされている前記トラッキングキーＢを抽出し、当該トラッキングキーＢを含む成果報告電文ｃを作成して前記広告管理サーバーに送信すること
（17）前記広告管理サーバーは、前記トラッキングキーＢを含む前記広告主サーバーから前記成果報告電文ｃを受信すると、当該成果報告電文ｃ中の前記トラッキングキーＢと同じキーを含む前記広告誘導記録を抽出し、その広告誘導記録中の前記広告媒体ＩＤに該当する前記広告媒体サイトに掲載された前記広告ＩＤに該当する前記キャンペーン広告の広告成果があったことを認定すること
【請求項２】
つぎの事項（21）〜（27）により特定される方法。
（21）広告管理サーバーと広告主サーバーとにより実施される分散コンピューティングの方法であること
（22）会員制ＥＣサイトの運営者が広告主であるキャンペーン広告がインターネット上のある広告媒体サイトに掲載され、この広告媒体サイトを閲覧している利用者端末Ａにおいて前記キャンペーン広告がクリックされると、当該利用者端末Ａは、当該キャンペーン広告にリンクする広告管理サーバーを介して前記広告主サーバーにリダイレクトされ、前記キャンペーンの詳細情報を伝えるキャンペーンページが利用者端末Ａに表示される、広告誘導プロセスが実行されること
（23）前記広告管理サーバーは、前記広告誘導プロセスにおいて、前記広告媒体サイトを特定可能な情報（広告媒体ＩＤとする）と、前記キャンペーン広告を特定可能な情報（広告ＩＤとする）と、広告誘導事象を特定するためのユニーク番号（トラッキングキーＢとする）を少なくとも含んだ広告誘導記録を作成して保存するとともに、前記トラッキングキーＢを付加したＵＲＬにより前記利用者端末Ａを前記広告主サーバーにリダイレクトすること
（24）前記広告主サーバーは、前記広告誘導プロセスにおいて、前記利用者端末Ａが前記トラッキングキーＢを付加した前記ＵＲＬによりリダイレクトされてアクセスしてくると、トラッキングキーＢを取得するとともに、当該利用者端末Ａのクッキー識別子Ｃと会員ＩＤの対応関係が会員データベースに記録されているか否かを調べ、当該対応関係が記録されていない場合、および、当該利用者端末Ａにクッキーが記録されていない場合、当該利用者端末Ａのクッキーに前記トラッキングキーＢを書き込むことで端末閲覧記録ａを作成するか、あるいは、前記トラッキングキーＢとクッキー識別子Ｃとを対応づけした端末閲覧記録ａを作成して記録すること
（25）前記広告主サーバーは、前記端末閲覧記録ａを作成して記録した後、利用者端末Ａが前記広告主サーバーの前記会員制ＥＣサイトにログインした際、当該利用者端末Ａのクッキー識別子Ｃおよび当該利用者の会員ＩＤ（Ｄ）を取得するとともに、クッキー識別子Ｃと対応づけされているトラッキングキーＢに当該会員ＩＤ（Ｄ）を対応づけした会員閲覧記録ｂを作成して記録すること
（26）前記広告主サーバーは、前記会員閲覧記録ｂを作成して記録した後、前記会員ＩＤ（Ｄ）の利用者が適宜な情報端末を用いて前記広告主サーバーの前記会員制ＥＣサイトにログインし、前記キャンペーン広告に関連した所定の行動をとった際、当該会員ＩＤ（Ｄ）に対応づけされている前記トラッキングキーＢを抽出し、当該トラッキングキーＢを含む成果報告電文ｃを作成して広告管理サーバーに送信すること
（27）前記広告管理サーバーは、前記広告主サーバーから前記成果報告電文ｃを受信すると、当該成果報告電文ｃ中の前記トラッキングキーＢと同じキーを含む前記広告誘導記録を抽出し、その広告誘導記録中の前記広告媒体ＩＤに該当する前記広告媒体サイトに掲載された前記広告ＩＤに該当する前記キャンペーン広告の広告成果があったことを認定すること
【請求項３】
つぎの事項（31）〜（39）により特定される方法。
（31）広告管理サーバーと広告主サーバーとにより実施される分散コンピューティングの方法であること
（32）会員制ＥＣサイトの運営者が広告主であるキャンペーン広告がインターネット上のある広告媒体サイトに掲載され、この広告媒体サイトを閲覧している利用者端末Ａにおいて前記キャンペーン広告がクリックされると、当該利用者端末Ａが、当該キャンペーン広告にリンクする広告管理サーバーを介して前記広告主サーバーにリダイレクトされ、前記キャンペーンの詳細情報を伝えるキャンペーンページが利用者端末Ａに表示される、広告誘導プロセスが実行されること
（33）前記広告管理サーバーは、前記広告誘導プロセスにおいて、前記広告媒体サイトを特定可能な情報（広告媒体ＩＤとする）と、前記キャンペーン広告を特定可能な情報（広告ＩＤとする）と、広告誘導事象を特定するためのユニーク番号（トラッキングキーＢとする）とを少なくとも含んだ広告誘導記録を作成して保存するとともに、このトラッキングキーＢを付加したＵＲＬにより前記利用者端末Ａを前記広告主サーバーにリダイレクトすること
（34）前記広告主サーバーは、前記広告誘導プロセスにおいて、前記利用者端末Ａが前記トラッキングキーＢを付加した前記ＵＲＬによりリダイレクトされてアクセスしてくると、当該トラッキングキーＢと当該利用者端末Ａを特定可能な端末識別子Ｃとを取得し、前記会員制ＥＣサイトの会員データベースに当該端末識別子Ｃと会員ＩＤの対応関係が記録されているか否かを調べ、記録されていない場合、前記トラッキングキーＢと前記端末識別子Ｃとを対応づけした端末閲覧記録ａを作成して記録すること
（35）前記広告主サーバーは、前記端末閲覧記録ａを作成して記録した後、前記利用者端末Ａが前記広告主サーバーの前記会員制ＥＣサイトにログインした際、当該利用者端末Ａの前記端末識別子Ｃおよび前記会員ＩＤ（Ｄ）を取得するとともに、当該端末識別子Ｃと対応づけされているトラッキングキーＢに前記会員ＩＤ（Ｄ）を対応づけした会員閲覧記録ｂを作成して記録すること
（36）前記広告主サーバーは、前記会員閲覧記録ｂを作成して記録した後、所定の外部システムから会員行動報告電文を受信した際、当該電文に含まれる会員関連データを抽出し、当該会員関連データに基づいて前記会員データベースを検索して当該会員関連データに該当する前記会員ＩＤ（Ｄ）の前記会員閲覧記録に対応づけされているトラッキングキーＢを抽出し、当該トラッキングキーＢを含む成果報告電文ｃを作成して広告管理サーバーに送信すること
（37）前記会員関連データは、前記会員制ＥＣサイトの前記会員データベースにおいて会員ＩＤに対応づけて登録された、ポイントＩＤ、通信識別子、電話番号、クーポンＩＤ、生体認証用データ、電子レシートＩＤのうちの少なくとも１つであること
（38）前記会員行動報告電文は、前記会員制ＥＣサイトの会員が実空間において前記キャンペーン広告に関連した所定の行動をとった際、前記所定の外部システムが当該会員から取得した前記会員関連データを含めて生成した電文であること
（39）前記広告管理サーバーは、前記広告主サーバーから前記成果報告電文ｃを受信すると、当該成果報告電文ｃ中の前記トラッキングキーＢと同じキーを含む前記広告誘導記録を抽出し、その広告誘導記録中の前記広告媒体ＩＤに該当する前記広告媒体サイトに掲載された前記広告ＩＤに該当する前記キャンペーン広告の広告成果があったことを認定すること
【請求項４】
つぎの事項（41）〜（49）により特定される方法。
（41）広告管理サーバーと広告主サーバーとにより実施される分散コンピューティングの方法であること
（42）会員制ＥＣサイトの運営者が広告主であるキャンペーン広告がインターネット上のある広告媒体サイトに掲載され、この広告媒体サイトを閲覧している利用者端末Ａにおいて前記キャンペーン広告がクリックされると、当該利用者端末Ａが、当該キャンペーン広告にリンクする広告管理サーバーを介して前記広告主サーバーにリダイレクトされ、前記キャンペーンの詳細情報を伝えるキャンペーンページが利用者端末Ａに表示される、広告誘導プロセスが実行されること
（43）前記広告管理サーバーは、前記広告誘導プロセスにおいて、前記広告媒体サイトを特定可能な情報（広告媒体ＩＤとする）と、前記キャンペーン広告を特定可能な情報（広告ＩＤとする）と、広告誘導事象を特定するためのユニーク番号（トラッキングキーＢとする）を少なくとも含んだ広告誘導記録を作成して保存するとともに、このトラッキングキーＢを付加したＵＲＬにより前記利用者端末Ａを前記広告主サーバーにリダイレクトすること
（44）前記広告主サーバーは、前記広告誘導プロセスにおいて、前記利用者端末Ａがリダイレクトされてアクセスしてくると、前記トラッキングキーＢを取得するとともに、当該利用者端末Ａのクッキー識別子Ｃと会員ＩＤの対応関係が会員データベースに記録されているか否かを調べ、当該対応関係が記録されていない場合、および、当該利用者端末Ａにクッキーが記録されていない場合、当該利用者端末Ａのクッキーに前記トラッキングキーＢを書き込むことで端末閲覧記録ａを作成するか、あるいは、前記トラッキングキーＢとクッキー識別子Ｃを対応づけした端末閲覧記録ａを作成して記録すること
（45）前記広告主サーバーは、前記端末閲覧記録ａを作成して記録した後、前記利用者端末Ａが前記広告主サーバーの前記会員制ＥＣサイトにログインした際、当該利用者端末Ａのクッキー識別子Ｃおよび当該利用者の会員ＩＤ（Ｄ）を取得するとともに、当該クッキー識別子Ｃと対応づけされている前記トラッキングキーＢに当該会員ＩＤ（Ｄ）を対応づけした会員閲覧記録ｂを作成して記録すること
（46）前記広告主サーバーは、前記会員閲覧記録ｂを作成して記録した後、所定の外部システムから会員行動報告電文を受信した際、当該会員行動報告電文に含まれる会員関連データを抽出し、当該会員関連データに基づいて会員データベースを検索して当該会員関連データに該当する会員ＩＤ（Ｄ）を含む会員閲覧記録ｂがある場合、当該会員ＩＤ（Ｄ）に対応づけされている前記トラッキングキーＢを抽出し、当該トラッキングキーＢを含む成果報告電文ｃを作成して前記広告管理サーバーに送信すること
（47）前記会員関連データは、前記会員制ＥＣサイトの前記会員データベースにおいて会員ＩＤに対応づけて登録された、ポイントＩＤ、通信識別子、電話番号、クーポンＩＤ、生体認証用データ、電子レシートＩＤのうちの少なくとも１つであること
（48）前記会員行動報告電文は、前記会員制ＥＣサイトの会員が実空間において前記キャンペーン広告に関連した所定の行動をとった際、前記所定の外部システムが当該会員から取得した前記会員関連データを含めて生成した電文であること
（49）前記広告管理サーバーは、前記広告主サーバーから前記成果報告電文ｃを受信すると、当該成果報告電文ｃ中の前記トラッキングキーＢと同じキーを含む前記広告誘導記録を抽出し、その広告誘導記録中の前記広告媒体ＩＤに該当する前記広告媒体サイトに掲載された前記広告ＩＤに該当する前記キャンペーン広告の広告成果があったことを認定すること
【請求項５】
請求項１〜４のいずれかに記載の分散コンピューティングの方法を実施するように前記広告主サーバーにインストールされるプログラム。
【発明の詳細な説明】
【技術分野】
【０００１】
この発明は、会員制ＥＣサイト運営者が出稿したインターネット広告を閲覧したユーザーの行動を追跡して会員制ＥＣサイトの会員ＩＤに紐付けして広告成果を監視するコンピューティングに関する。
【背景技術】
【０００２】
＝＝＝会員制を採り入れたＥＣサイト＝＝＝
我が国においては、Yahoo!や楽天市場などの大規模なＥＣサイトが多くの消費者に利用されている。こうしたＥＣサイトでは会員制が採用されており、消費者は会員ＩＤ（アカウント）を取得して活用することで、買物に伴う各種の特典を受けることができるとともに、氏名・住所・電話番号などの配達情報、クレジットカード番号などの決済情報を会員情報として登録しておくことにより、その後の取引に伴う入力の手間が省けるようになっている。
【０００３】
ＥＣサイトのアカウントは、ショッピング、オークション、旅行予約、レストラン予約、施設予約などのネット取引の枠内にとどまらず、Ｔポイントや楽天ポイントなどのように、実店舗での買物の際にも利用できるポイントカードなどと連動しており、１つのアカウントでネット取引および実店舗取引の双方に伴うポイントが共通して蓄積利用できるようになっている。
具体例をあげると、ヤフー株式会社が運営しているＥＣサイトの場合、Yahooショッピング、Yahooオークション、Yahooトラベルなどのネット取引に YahoooＩＤと称する共通のアカウントを利用することができる。このアカウントはＴポイントＩＤと連携するようになっており、ネット取引と実店舗取引の双方でＴポイントを蓄積したり消費したりすることができる。
【０００４】
＝＝＝アフィリエイト広告の概要＝＝＝
上記のようなＥＣサイトの運営者は広告宣伝の１つの手法としてアフィリエイト広告を利用することがある。以下では、現在広く普及しているアフィリエイト広告の周知のコンピューティング技術について概要を説明する。
【０００５】
（ア）ある広告主のキャンペーン広告がインターネット上のある広告媒体サイトに掲載されており、この広告媒体サイトを閲覧している利用者端末Ａにおいて上記キャンペーン広告がクリックされると、当該利用者端末Ａは、当該広告にリンクする広告管理サーバーを介して当該広告にリンクする広告主サーバーにリダイレクトされ、上記キャンペーンの詳細情報を伝えるキャンペーンページを利用者が見ることになる。
【０００６】
（イ）上記のように利用者の目に見える広告誘導プロセスに伴って、つぎのように隠れた広告誘導プロセスが実行される。広告管理サーバーは、上記の広告媒体サイトを特定可能な情報（広告媒体ＩＤとする）と、上記クリックされた広告を特定可能な情報（広告ＩＤとする）と、当該広告誘導事象を特定するためのユニーク番号（トラッキングキーＢとする）を少なくとも含んだ広告誘導記録を作成して保存する。
【０００７】
（ウ）また広告管理サーバーは、上記のトラッキングキーＢを付加したＵＲＬにより利用者端末を広告主サーバーにリダイレクトする。さらに、利用者端末Ａが広告主サーバーにリダイレクトされてきたことにより広告主サーバーは前記トラッキングキーＢを取得し、このトラッキングキーＢを利用者端末Ａのブラウザークッキーに書き込むことにより、この後に「このクッキーが記録されている利用者端末ＡがトラッキングキーＢで特定される広告誘導事象の該当者である」ということが広告主サーバーにおいて検知できるようになっている。
なお、クッキーを利用するのではなく、利用者端末Ａの端末識別子を利用して「この端末識別子の端末ＡがトラッキングキーＢで特定される広告誘導事象の該当者である」という記録を広告主サーバーに保存する方法も周知慣用である。
【０００８】
（エ）上記のように広告主のキャンペーンページを見た利用者が広告主のＥＣサイトにアクセスして所定の買物行動をすると、広告主サーバーは「このクッキーが記録されている利用者端末ＡがトラッキングキーＢで特定される広告誘導事象の該当者である」ということを検知することができる。このことを検知すると広告主サーバーは「トラッキングキーＢの該当者が所定の買物行動をした」ということ意味する成果報告電文を広告管理サーバーに送信する。
【０００９】
（オ）広告主サーバーからトラッキングキーＢを含む成果報告電文を受信した広告管理サーバーは、トラッキングキーＢを含む広告誘導記録を抽出し、この広告誘導記録に基づいて広告主から広告媒体サイトの運営者（媒体主とする）に広告料を支払うための処理を実行する。
【発明の開示】
【００１０】
＝＝＝発明が解決しようとする課題＝＝＝
一般の人々がコンピューティング機器を用いてインターネットを利用する生活態様が近年おおいに多様化している。自宅や職場ではおもにデスクトップパソコンやノートパソコンを用いてインターネットにアクセスし、外出時などにはスマートフォンやタブレットやノートパソコンなどの携帯情報端末を利用してインターネットにアクセスしている。
【００１１】
したがって、自宅のデスクトップパソコンを使って上記説明例のキャンペーンページを閲覧した後、そのキャンペーンに関連したＥＣサイトにスマートフォンでアクセスして所定の買物行動をするという事態が頻出する。このように、広告誘導記録が生成されるプロセスで使用した利用者端末と異なる情報端末により買物行動（ネット取引）が行われると、上述したアフィリエイト広告の仕組みでは広告成果として認識されず、媒体主に広告料が支払われないのである。同様に、利用者端末のブラウザーを用いて広告を閲覧した後、同じ端末のアプリを用いて（ブラウザーを用いずに）買物行動（ネット取引）行った場合も広告成果として認識できない。
【００１２】
この発明の第１の目的は、前述した会員制のＥＣサイトを前提とすることにより、広告を閲覧したときの情報端末と、広告に関連した所定の買物行動（ネット取引）をしたときの情報端末とが相違していても、正しく広告成果を判定して広告主から媒体主に広告料が支払われるようにする。
【００１３】
この発明の第２の目的は、前述した会員制のＥＣサイトを前提とすることにより、オンラインで所定の広告を閲覧した会員が、オンラインかオフラインかにかかわらず、広告に関連した所定の行動を行ったことを追跡的に検知し、広告の成果ありと判定することができるようにすることである。ここにおける「所定の行動」の態様を広告主がさまざまに設定できるようにすることで、インターネット広告の利用価値を高めることができる。
【００１４】
第２の目的と類似したＯ２Ｏ指向のアフィリエイト広告が従来から開発されている。特許第４０９７６８２号公報「ペイパービジット広告システム」、特許第５２１０７０７号公報「携帯アフィリエイト・トラッキングシステム」、特許第５３５５１９８号公報「実店舗アフィリエイトシステムのコンピューティングの方法」などが知られている。この発明においては、前述した会員制のＥＣサイトを前提とすることで、これら既存のＯ２Ｏ指向技術よりはるかに使い勝手の良いインターネット広告の仕組みを提供しようとするものである。
【００１５】
＝＝＝課題を解決するための手段＝＝＝
この発明においては、従来と同様に、会員制ＥＣサイトの運営者が出稿したインターネット広告がある広告媒体サイトに掲載されていて、この広告媒体サイトを閲覧している利用者端末Ａにおいて上記キャンペーン広告がクリックされると、当該利用者端末Ａは、当該広告にリンクする広告管理サーバーを介して当該広告にリンクする広告主サーバーにリダイレクトされ、上記キャンペーンの詳細情報を伝えるキャンペーンページを利用者が見ることになる。
【００１６】
上記のように利用者の目に見える広告誘導プロセスに伴って隠れた広告誘導プロセスが実行され、広告管理サーバーは、上記の広告媒体サイトを特定可能な情報（広告媒体ＩＤとする）と、上記クリックされた広告を特定可能な情報（広告ＩＤとする）と、当該広告誘導事象を特定するためのユニーク番号（トラッキングキーＢとする）を少なくとも含んだ広告誘導記録を作成して保存し、広告主サーバーにより「この利用者端末ＡがトラッキングキーＢで特定される広告誘導事象の該当者である」ということを表す端末閲覧記録が作成される。ここまでは従来と同様である。
【００１７】
この発明においては、従来と異なり、広告主サーバーは、上記の端末閲覧記録（利用者端末ＡとトラッキングキーＢとを対応づけする記録）に基づいて、当該端末Ａが会員制ＥＣサイトにログインした際にその会員ＩＤ（Ｄ）を取得し、利用者端末Ａに対応づけされているトラッキングキーＢに会員ＩＤ（Ｄ）を対応づけした会員閲覧記録を作成して保存する。この会員閲覧記録は、会員ＩＤ（Ｄ）の会員がトラッキングキーＢで特定される広告誘導事象の該当者である」ということを表す記録である。
【００１８】
その後、会員ＩＤ（Ｄ）の会員が以下に詳述するようにオンラインまたはオフラインで前記キャンペーン広告に関連した所定の行動をとると、広告主サーバーにおいて、会員ＩＤ（Ｄ）の会員が前記キャンペーン広告に関連した所定行動をしたことが判明し、このことと前記会員閲覧記録とを照らし合わせることで、当該会員がトラッキングキーＢで特定される広告誘導事象の該当者であることを認知することができ、これによって当該会員に対して特典を付与することができる。また、この場合に広告主サーバーはトラッキングキーＢを含む成果報告電文を広告管理サーバーに送信する。これを受けて広告管理サーバーは、トラッキングキーＢに該当する広告誘導記録に基づいて広告料の支払い事務などを遂行することができる。
【図面の簡単な説明】
【００１９】
【図１】この発明が実施される環境の一例の概略図
【図２】この発明が実施される環境の他の例の概略図
【発明を実施する形態】
【００２０】
この発明が実施される環境の一例を図１に示している。広告主サーバーは、会員制ＥＣサイトをインターネット上に開設するとともに、広告管理サーバーと連携して広告閲覧者の行動を追跡する。広告管理サーバーは、広告主が出稿した広告をインターネット上の多数の広告媒体サイトに掲載するとともに、広告主サーバーと連携して広告閲覧者の行動を追跡し、広告主から広告媒体主に広告料を支払うための事務処理などを実行する。利用者は、パソコン、スマートフォン、タブレット端末などの情報端末（利用者端末とも記す）を用いてインターネットにアクセスし、広告媒体サイトやＥＣサイトなどを訪問する。この発明に係る方法は、以下に説明するように、広告管理サーバーと広告主サーバーにより実施される分散コンピューティングの方法である。
【００２１】
＝＝＝第１実施形態の要点＝＝＝
（ア）会員制ＥＣサイトの運営者が広告主であるキャンペーン広告がインターネット上のある広告媒体サイトに掲載され、この広告媒体サイトを閲覧している利用者端末Ａにおいて前記キャンペーン広告がクリックされると、利用者端末Ａは、当該広告にリンクする広告管理サーバーを介して当該広告にリンクする広告主サーバーにリダイレクトされ、前記キャンペーンの詳細情報を伝えるキャンペーンページが利用者端末Ａに表示される（これを広告誘導プロセスとする）。
【００２２】
広告主サーバーは、会員制ＥＣサイトを開設しており、会員データベースを備えている。会員データベースには、会員ＩＤをキーとして会員に関する種々の情報が集積されている。会員データベースには、たとえば、会員ＩＤに対応づけて登録された、ポイントＩＤ、無線通信識別子（RFID、NFC等）、電話番号、クーポンＩＤ、生体認証用データ（顔写真データを含む）、電子レシートＩＤなどが含まれているとともに、利用者がログインしてきたときに使用していた利用者端末の端末識別子や、利用者端末のブラウザクッキーのクッキー識別子などの情報も記録されている。
【００２３】
（イ）広告誘導プロセスに伴って、広告管理サーバーは、前記広告媒体サイトを特定可能な情報（広告媒体ＩＤとする）と、前記キャンペーン広告を特定可能な情報（広告ＩＤとする）と、前記広告誘導事象を特定するためのユニーク番号（トラッキングキーＢとする）を少なくとも含んだ広告誘導記録を作成して保存するとともに、このトラッキングキーＢを付加したＵＲＬにより利用者端末を広告主サーバーにリダイレクトする。
《広告誘導記録》  広告媒体ＩＤ／広告ＩＤ／トラッキングキー／日時
【００２４】
（ウ）広告主サーバーは、利用者端末ＡがリダイレクトされてきたことによりトラッキングキーＢを取得するとともに、利用者端末Ａから当該端末を特定可能な端末識別子Ｃを取得し、会員制ＥＣサイトの会員データベースに端末識別子Ｃと会員ＩＤの対応関係が記録されているか否かを調べ、記録されていない場合、トラッキングキーＢと端末識別子Ｃを対応づけした端末閲覧記録を作成して保存する。
《端末閲覧記録》  端末識別子／トラッキングキー／日時
【００２５】
上記プロセス（ウ）において、リダイレクトされてきた利用者端末Ａの端末識別子Ｃが会員制ＥＣサイトの会員データベースに会員ＩＤに対応づけて記録されている場合は、つぎに説明する会員閲覧記録（会員ＩＤとトラッキングキーの対応づけ）を作成して保存する。
【００２６】
（エ）上記プロセス（ウ）の後に利用者端末Ａが広告主サーバーの会員制ＥＣサイトにログインした際、広告主サーバーは、利用者端末Ａの端末識別子Ｃおよび当該利用者の会員ＩＤ（Ｄ）を取得するとともに、端末識別子Ｃを含む端末閲覧記録があるか否かを調べ、ある場合、端末識別子Ｃと対応づけされているトラッキングキーＢに会員ＩＤ（Ｄ）を対応づけした会員閲覧記録を作成して記録する。
《会員閲覧記録》  会員ＩＤ／トラッキングキー／日時
【００２７】
（オ）会員ＩＤ（Ｄ）の利用者が適宜な情報端末を用いて広告主サーバーの会員制ＥＣサイトにログインし、前記キャンペーン広告に関連した所定の行動をとった際、広告主サーバーは、会員ＩＤ（Ｄ）を含む会員閲覧記録があるか否かを調べ、ある場合、会員ＩＤ（Ｄ）に対応づけされているトラッキングキーＢを抽出し、当該トラッキングキーＢを含む成果報告電文を作成して広告管理サーバーに送信する。
【００２８】
（カ）広告管理サーバーは、受信した成果報告電文中のトラッキングキーＢと同じキーを含む広告誘導記録を抽出し、その広告誘導記録中の広告媒体ＩＤに該当する広告媒体サイトに掲載された広告ＩＤに該当するキャンペーン広告の広告成果があったことを認定する。これによって広告主から広告媒体主に広告料を支払うための事務処理を遂行することができる。
【００２９】
＝＝＝第１実施形態の作用効果＝＝＝
会員制ＥＣサイトの運営者（広告主）が前記広告により、たとえば、「ＥＣサイトで今週中に○○商品を購入すると２０００ポイント進呈」といったキャンペーンを告知したとする。この広告を閲覧するのは会員制ＥＣサイトの会員だけではなく非会員も閲覧する。また、会員であっても、上記キャンペーン広告をクリックしたときに使用していた利用者端末がこれまでＥＣサイトにログインしたことのない端末であることもある。
【００３０】
そして、その後の別の機会に、広告閲覧した端末Ａで会員制ＥＣサイトにログインすると（新たに会員になった場合も含む）、広告主サーバーにおいて、端末閲覧記録に基づいて会員閲覧記録が作成される。
【００３１】
さらに別の機会に、上記の会員が広告閲覧した端末Ａとは別の情報端末を用いてＥＣサイトにログインして「ＥＣサイトで今週中に○○商品を購入する」というキャンペーン広告に関連した行動をとると、広告主サーバーは、この会員が広告を見てから所定の買物行動をしたことを認知し、この会員に２０００ポイント進呈する処理を遂行することができる。また広告管理サーバーは、広告誘導記録に基づいて、広告主から広告媒体主に広告料を支払うための事務処理を遂行することができる。
【００３２】
＝＝＝第２実施形態の要点＝＝＝
第２実施形態は、前記広告誘導プレセスに伴って、キャンペーン広告をクリックして広告主サーバーにリダイレクトされてきた利用者端末Ａが端末識別子を取得できない機種であることが第１実施形態と相違する点である。この場合は、以下の発明特定事項（21）〜（27）のようにクッキーを利用してトラッキングを行う。その他は第１実施形態と同じである。もちろん第１実施形態と第２実施形態は併用的に実施されるものであって、第１実施形態における上述した作用効果は当然第２実施形態においても奏する。
【００３３】
（21）広告管理サーバーと広告主サーバーにより実施される分散コンピューティングの方法であること
（22）会員制ＥＣサイトの運営者が広告主であるキャンペーン広告がインターネット上のある広告媒体サイトに掲載され、この広告媒体サイトを閲覧している利用者端末Ａにおいて前記キャンペーン広告がクリックされると、利用者端末Ａは、当該広告にリンクする広告管理サーバーを介して当該広告にリンクする広告主サーバーにリダイレクトされ、前記キャンペーンの詳細情報を伝えるキャンペーンページが利用者端末Ａに表示される、広告誘導プロセスが実行されること
（23）広告誘導プロセスに伴って、広告管理サーバーは、前記広告媒体サイトを特定可能な情報（広告媒体ＩＤとする）と、前記キャンペーン広告を特定可能な情報（広告ＩＤとする）と、前記広告誘導事象を特定するためのユニーク番号（トラッキングキーＢとする）を少なくとも含んだ広告誘導記録を作成して保存するとともに、このトラッキングキーＢを付加したＵＲＬにより利用者端末を広告主サーバーにリダイレクトすること
（24）広告主サーバーは、利用者端末ＡがリダイレクトされてきたことによりトラッキングキーＢを取得するとともに、利用者端末Ａのクッキー識別子Ｃと会員ＩＤの対応関係が会員データベースに記録されているか否かを調べ、対応関係が記録されていない場合、および、利用者端末Ａにクッキーが記録されていない場合、利用者端末ＡのクッキーにトラッキングキーＢを書き込むことで端末閲覧記録を作成するか、あるいは、トラッキングキーＢとクッキー識別子Ｃを対応づけした端末閲覧記録を作成して保存すること
（25）上記プロセス（24）の後に利用者端末Ａが広告主サーバーの会員制ＥＣサイトにログインした際、広告主サーバーは、利用者端末Ａのクッキー識別子Ｃおよび当該利用者の会員ＩＤ（Ｄ）を取得するとともに、クッキー識別子Ｃを含む端末閲覧記録があるか否かを調べ、ある場合、クッキー識別子Ｃと対応づけされているトラッキングキーＢに会員ＩＤ（Ｄ）を対応づけした会員閲覧記録を作成して記録すること
（26）会員ＩＤ（Ｄ）の利用者が適宜な情報端末を用いて広告主サーバーの会員制ＥＣサイトにログインし、前記キャンペーン広告に関連した所定の行動をとった際、広告主サーバーは、会員ＩＤ（Ｄ）を含む会員閲覧記録があるか否かを調べ、ある場合、会員ＩＤ（Ｄ）に対応づけされているトラッキングキーＢを抽出し、当該トラッキングキーＢを含む成果報告電文を作成して広告管理サーバーに送信すること
（27）広告管理サーバーは、受信した成果報告電文中のトラッキングキーＢと同じキーを含む広告誘導記録を抽出し、その広告誘導記録中の広告媒体ＩＤに該当する広告媒体サイトに掲載された広告ＩＤに該当するキャンペーン広告の広告成果があったことを認定すること
【００３４】
＝＝＝第３実施形態と第４実施形態の要点＝＝＝
第１実施形態と第２実施形態は、キャンペーン広告を閲覧した会員が後にＥＣサイトにおいてその広告に関連した行動をとった場合に広告成果ありと判定するものであった（オンラインタイプ）。これに対して第３実施形態と第４実施形態は、キャンペーン広告を閲覧した会員が広告主関連実店舗などの実空間においてその広告に関連した行動をとった場合に広告成果ありと判定するものである（Ｏ２Ｏタイプ）。
【００３５】
Ｏ２Ｏタイプでは、たとえば、以下のようにさまざまなキャンペーンを実施することができる（図２参照）。
【００３６】
《キャンペーン例１》
● 会員のポイントＩＤを使ったキャンペーン例
広告主関連店舗で今週中に買い物してポイントカードを提示するとポイント３倍進呈するというキャンペーンである。この場合、広告主関連店舗にＰＯＳシステムにポイントカード読取機があり、顧客（会員）の買物金額とポイントＩＤを含む会員行動報告電文がＰＯＳシステム（外部システム）から広告主サーバーに送られてくる。広告主サーバーは、受信した会員行動報告電文中のポイントＩＤの持ち主の会員ＩＤを会員データベースから検索し、検索抽出した会員ＩＤを含む会員閲覧記録があるか否かを調べ、ある場合には当該会員ＩＤに対応づけされているトラッキングキーを含む成果報告電文を広告管理サーバーに送信する。以下は第１実施形態および第２実施形態と同じでよい。
【００３７】
《キャンペーン例２》
● 会員の無線通信素子の識別子を使ったキャンペーン例
広告主関連実店舗に今週中に来店すれば１００ポイント進呈するというキャンペーンである。会員は自分のスマートフォンなどの利用者端末やＩＤカードなどに内蔵された無線通信素子の識別子をＥＣサイトの会員データベースに登録してある。広告主関連実店舗にはＮＦＣ等の無線通信素子の読取機があり、顧客（会員）が来店すると顧客の無線通信素子が読取機と通信して識別子が読み取られる。この無線通信識別子を含んだ会員行動報告電文が広告主関連実店舗システム（外部システム）から広告主サーバーに送られてくる。広告主サーバーは、受信した会員行動報告電文中の無線通信素子の通信識別子の持ち主の会員ＩＤを会員データベースから検索し、検索抽出した会員ＩＤを含む会員閲覧記録があるか否かを調べ、ある場合には当該会員ＩＤに対応づけされているトラッキングキーを含む成果報告電文を広告管理サーバーに送信する。
【００３８】
《キャンペーン例３》
● 会員の電話番号を使ったキャンペーン例
広告主関連コールセンターに会員の電話機により１時間以内に電話をかけて質問に回答すると３０００ポイント進呈するというキャンペーンである。この場合、コールセンターのコンピューティングシステム（外部システム）から質問に答えた人の電話番号を含む会員行動報告電文が広告主サーバーに送られてくる。広告主サーバーは、受信した会員行動報告電文中の電話番号の持ち主の会員ＩＤを会員データベースから検索し、検索抽出した会員ＩＤを含む会員閲覧記録があるか否かを調べ、ある場合には当該会員ＩＤに対応づけされているトラッキングキーを含む成果報告電文を広告管理サーバーに送信する。
【００３９】
《キャンペーン例４》
● クーポンＩＤを使ったキャンペーン例
広告主関連実店舗にて３０００円以上の買い物で５００円引きになるクーポンの利用を促すキャンペーンである。会員はキャンペーンページなどを経由して入手した電子クーポンを自分のスマートフォンなどに保存しており、広告主サーバーの会員データベースにおいては会員ＩＤとユニークなクーポンＩＤとが対応づけされている。広告主関連実店舗のＰＯＳシステムにはクーポン読取機があり、クーポンが利用されると顧客（会員）の買物情報（売上金額）とクーポンＩＤを含む会員行動報告電文がＰＯＳシステム（外部システム）から広告主サーバーに送られてくる。広告主サーバーは、受信した会員行動報告電文中のクーポンＩＤに紐づいた会員ＩＤを会員データベースから検索し、検索抽出した会員ＩＤを含む会員閲覧記録があるか否かを調べ、ある場合には当該会員ＩＤに対応づけされているトラッキングキーを含む成果報告電文を広告管理サーバーに送信する。
【００４０】
《キャンペーン例５》
● 顔写真データを使ったキャンペーン例
広告主関連イベント会場に出向いて入口のカメラで顔を撮影して来場が確認されると１００ポイント進呈するというキャンペーンである。この場合、イベント会場のコンピューティングシステム（外部システム）から入場した人の顔写真データを含む会員行動記録が広告主サーバーに送られてくる。広告主サーバーは、受信した会員行動記録中の顔写真データの該当人物の会員ＩＤを会員データベースから検索し、検索抽出した会員ＩＤを含む会員閲覧記録があるか否かを調べ、ある場合には当該会員ＩＤに対応づけされているトラッキングキーを含む成果報告電文を広告管理サーバーに送信する。
【００４１】
《キャンペーン例６》
● 電子レシートを使ったキャンペーン例
広告主関連実店舗で指定の商品を購入すると、１点あたり１００ポイントもらえる電子レシートのキャンペーンである。電子レシートは会員制ＥＣサイトの会員向けのサービスで、実店舗会員ＩＤカードの読取り（無線通信の場合はタッチ）で実店舗利用のレシート情報が会員のアカウントに送信されると、顧客（会員）の指定商品購入記録を含む会員行動報告電文が電子レシートシステム（外部システム）から広告主サーバーに送られてくる。広告主サーバーは、受信した会員行動報告電文中の電子レシートの会員ＩＤを会員データベースから検索し、検索抽出した会員ＩＤを含む会員閲覧記録があるか否かを調べ、ある場合には当該会員ＩＤに対応づけされているトラッキングキーを含む成果報告電文を広告管理サーバーに送信する。
【００４２】
＝＝＝第３実施形態に対応する発明特定事項＝＝＝
以上のキャンペーン例の詳細説明から明らかなように、つぎの事項（31）〜（39）により特定される方法の発明を把握することができる。
（31）広告管理サーバーと広告主サーバーにより実施される分散コンピューティングの方法であること
（32）会員制ＥＣサイトの運営者が広告主であるキャンペーン広告がインターネット上のある広告媒体サイトに掲載され、この広告媒体サイトを閲覧している利用者端末Ａにおいて前記キャンペーン広告がクリックされると、利用者端末Ａは、当該広告にリンクする広告管理サーバーを介して当該広告にリンクする広告主サーバーにリダイレクトされ、前記キャンペーンの詳細情報を伝えるキャンペーンページが利用者端末Ａに表示される、広告誘導プロセスが実行されること
（33）広告誘導プロセスに伴って、広告管理サーバーは、前記広告媒体サイトを特定可能な情報（広告媒体ＩＤとする）と、前記キャンペーン広告を特定可能な情報（広告ＩＤとする）と、前記広告誘導事象を特定するためのユニーク番号（トラッキングキーＢとする）を少なくとも含んだ広告誘導記録を作成して保存するとともに、このトラッキングキーＢを付加したＵＲＬにより利用者端末を広告主サーバーにリダイレクトすること
（34）広告主サーバーは、利用者端末ＡがリダイレクトされてきたことによりトラッキングキーＢを取得するとともに、利用者端末Ａから当該端末を特定可能な端末識別子Ｃを取得し、会員制ＥＣサイトの会員データベースに端末識別子Ｃと会員ＩＤの対応関係が記録されているか否かを調べ、記録されていない場合、トラッキングキーＢと端末識別子Ｃを対応づけした端末閲覧記録を作成して記録すること
（35）上記プロセス（34）の後に利用者端末Ａが広告主サーバーの会員制ＥＣサイトにログインした際、広告主サーバーは、利用者端末Ａの端末識別子Ｃおよび当該利用者の会員ＩＤ（Ｄ）を取得するとともに、端末識別子Ｃを含む端末閲覧記録があるか否かを調べ、ある場合、端末識別子Ｃと対応づけされているトラッキングキーＢに会員ＩＤ（Ｄ）を対応づけした会員閲覧記録を作成して記録すること
（36）広告主サーバーは、所定の外部システムから会員行動報告電文を受信した際、当該電文に含まれる会員関連データを抽出し、当該会員関連データに基づいて会員データベースを検索して当該会員関連データに該当する会員ＩＤ（Ｄ）を特定し、会員ＩＤ（Ｄ）を含む会員閲覧記録があるか否かを調べ、ある場合には当該会員ＩＤ（Ｄ）に対応づけされているトラッキングキーＢを抽出し、当該トラッキングキーＢを含む成果報告電文を作成して広告管理サーバーに送信すること
（37）前記会員関連データは、会員制ＥＣサイトの会員データベースにおいて会員ＩＤに対応づけて登録された、ポイントＩＤ、通信識別子、電話番号、クーポンＩＤ、生体認証用データ、電子レシートＩＤのうちの少なくとも１つであること
（38）前記会員行動報告電文は、会員制ＥＣサイトの会員が実空間において前記キャンペーン広告に関連した所定の行動をとった際、前記所定の外部システムが会員から取得した前記会員関連データを含めて生成した電文であること
（39）広告管理サーバーは、受信した成果報告電文中のトラッキングキーＢと同じキーを含む広告誘導記録を抽出し、その広告誘導記録中の広告媒体ＩＤに該当する広告媒体サイトに掲載された広告ＩＤに該当するキャンペーン広告の広告成果があったことを認定すること
【００４３】
＝＝＝第４実施形態に対応する発明特定事項＝＝＝
また同様に、以上のキャンペーン例の詳細説明から明らかなように、つぎの事項（41）〜（49）により特定される方法の発明を把握することができる。
（41）広告管理サーバーと広告主サーバーにより実施される分散コンピューティングの方法であること
（42）会員制ＥＣサイトの運営者が広告主であるキャンペーン広告がインターネット上のある広告媒体サイトに掲載され、この広告媒体サイトを閲覧している利用者端末Ａにおいて前記キャンペーン広告がクリックされると、利用者端末Ａは、当該広告にリンクする広告管理サーバーを介して当該広告にリンクする広告主サーバーにリダイレクトされ、前記キャンペーンの詳細情報を伝えるキャンペーンページが利用者端末Ａに表示される、広告誘導プロセスが実行されること
（43）広告誘導プロセスに伴って、広告管理サーバーは、前記広告媒体サイトを特定可能な情報（広告媒体ＩＤとする）と、前記キャンペーン広告を特定可能な情報（広告ＩＤとする）と、前記広告誘導事象を特定するためのユニーク番号（トラッキングキーＢとする）を少なくとも含んだ広告誘導記録を作成して保存するとともに、このトラッキングキーＢを付加したＵＲＬにより利用者端末を広告主サーバーにリダイレクトすること
（44）広告主サーバーは、利用者端末ＡがリダイレクトされてきたことによりトラッキングキーＢを取得するとともに、利用者端末Ａのクッキー識別子Ｃと会員ＩＤの対応関係が会員データベースに記録されているか否かを調べ、対応関係が記録されていない場合、および、利用者端末Ａにクッキーが記録されていない場合、利用者端末ＡのクッキーにトラッキングキーＢを書き込むことで端末閲覧記録を作成するか、あるいは、トラッキングキーＢとクッキー識別子Ｃを対応づけした端末閲覧記録を作成して保存すること
（45）上記プロセス（44）の後に利用者端末Ａが広告主サーバーの会員制ＥＣサイトにログインした際、広告主サーバーは、利用者端末Ａのクッキー識別子Ｃおよび当該利用者の会員ＩＤ（Ｄ）を取得するとともに、クッキー識別子Ｃを含む端末閲覧記録があるか否かを調べ、ある場合、クッキー識別子Ｃと対応づけされているトラッキングキーＢに会員ＩＤ（Ｄ）を対応づけした会員閲覧記録を作成して記録すること
（46）広告主サーバーは、所定の外部システムから会員行動報告電文を受信した際、当該電文に含まれる会員関連データを抽出し、当該会員関連データに基づいて会員データベースを検索して当該会員関連データに該当する会員ＩＤ（Ｄ）を特定し、会員ＩＤ（Ｄ）を含む会員閲覧記録があるか否かを調べ、ある場合には当該会員ＩＤ（Ｄ）に対応づけされているトラッキングキーＢを抽出し、当該トラッキングキーＢを含む成果報告電文を作成して広告管理サーバーに送信すること
（47）前記会員関連データは、会員制ＥＣサイトの会員データベースにおいて会員ＩＤに対応づけて登録された、ポイントＩＤ、通信識別子、電話番号、クーポンＩＤ、生体認証用データ、電子レシートＩＤのうちの少なくとも１つであること
（48）前記会員行動報告電文は、会員制ＥＣサイトの会員が実空間において前記キャンペーン広告に関連した所定の行動をとった際、前記所定の外部システムが会員から取得した前記会員関連データを含めて生成した電文であること
（49）広告管理サーバーは、受信した成果報告電文中のトラッキングキーＢと同じキーを含む広告誘導記録を抽出し、その広告誘導記録中の広告媒体ＩＤに該当する広告媒体サイトに掲載された広告ＩＤに該当するキャンペーン広告の広告成果があったことを認定すること
【００４４】
以上詳しく説明したように、この発明の方法は広告管理サーバーと広告主サーバーにより実施されるコンピューティングの方法であり、このことを前提として、この発明の射程は、上記分散コンピューティングの方法を実施するように広告主サーバーにインストールされるプログラムにも及ぶものである。なお、スマートフォンやタブレット端末にインストールされる特定のアプリ（広告媒体アプリ）に広告管理サーバーからキャンペーン広告を配信し、この広告がクリックされると広告主のキャンペーンページに誘導する仕組みの成果報酬型広告が周知であるところ、本書面においては、この仕組みの広告媒体アプリも本発明の広告媒体サイトに該当するものとする。
【図１】
0006761667.tif 000002
【図２】
0006761667.tif 000003